(57)【要約】      （修正有）【課題】ストレス解消や癒し等の要求に応えることのできるパーティションを提供する。【解決手段】起立状態で配置されるパーティション本体２と、このパーティション本体２に支持されて上下に間隔をあけて配置され各々が水の流路を有する複数の棚３と、水を貯めておくタンク５と、このタンク５内の水を最上段の棚３上に揚水する揚水装置とを具備してなり、各棚３が、前記流路内の水に触れ得るようにして植栽ポットＰを設置するためのポット載置部３２と、前記流路内の水を下の棚３又はタンク５に流下させるための水流下部３３とを備える。【選択図】図１
2012102575.tif 000002
【特許請求の範囲】
【請求項１】
起立状態で配置されるパーティション本体と、このパーティション本体に支持されて上下に間隔をあけて配置され各々が水の流路を有する複数の棚と、水を貯めておくタンクと、このタンク内の水を最上段の棚上に揚水する揚水装置とを具備してなり、前記各棚が、前記流路内の水に触れ得るようにして植栽ポットを設置するためのポット載置部と、前記流路内の水を下の棚又はタンクに流下させるための水流下部とを備えたものであることを特徴とするパーティション。
【請求項２】
前記パーティション本体が、左右対をなす側フレームを備えたものであり、前記各棚が、それら側フレーム間に架設されたものである請求項１記載のパーティション。
【請求項３】
前記各棚が、上方に開放された流路を形成する樋状のものであり、その水流下部が、前記流路の底に該流路内の水を雨状に滴下させるための孔を穿設したものである請求項１又は２記載のパーティション。
【請求項４】
前記各孔が、前記流路に臨む上端に座繰り部を有したものである請求項３記載のパーティション。
【請求項５】
前記タンクが最下段の棚の下に配されるとともに、前記棚及びタンクが前記パーティション本体の厚み内に収まる寸法のものである請求項１、２、３又は４記載のパーティション。
【発明の詳細な説明】
【技術分野】
【０００１】
本発明は、オフィスや店舗等で好適に使用されるパーティションに関する。
【背景技術】
【０００２】
従来、この種のパーティションとして、自立可能な枠状をなすパーティション本体と、このパーティション本体の枠内に嵌め込まれたパネルとを具備してなるものが知られている（例えば、特許文献１を参照）。
【０００３】
このようなパーティションは、主に空間を間仕切る際に使用されるもので、空間の雰囲気を多様に演出するために、前記パネルを布張りのものにしたり透光材料製のものにしたりするなど、種々の製品が開発されている。
【０００４】
しかしながら、近時のオフィスにおいては、ワーカーに対するストレス解消や癒し等がより強く求められる傾向があり、パーティションに対しても更なる工夫が望まれている。
【０００５】
このような事情は、オフィスに限らず各種の店舗や家庭その他で使用されるパーティションについても同様であり、植木鉢を複数設置可能な箱型の基台上方に網目からネットを張り、つる状に繁殖する植物によってネット全面を覆うパーティションが提案されている（例えば、特許文献２を参照）が、植物の種類が限定的になるとともにその育成やレイアウト変更が容易ではない。
【先行技術文献】
【特許文献】
【０００６】
【特許文献１】特開２０１０−７４２１号公報
【特許文献２】実用新案登録第３１５２７１１号公報
【発明の概要】
【発明が解決しようとする課題】
【０００７】
本発明は、以上のような事情に着目してなされたものであり、上述した要求に応えることのできるパーティションを提供することを目的とする。
【課題を解決するための手段】
【０００８】
本発明は、以上のような課題を解決するために、次のような構成を採用したものである。すなわち、本発明に係るパーティションは、起立状態で配置されるパーティション本体と、このパーティション本体に支持されて上下に間隔をあけて配置され各々が水の流路を有する複数の棚と、水を貯めておくタンクと、このタンク内の水を最上段の棚上に揚水する揚水装置とを具備してなり、前記各棚が、前記流路内の水に触れ得るようにして植栽ポットを設置するためのポット載置部と、前記流路内の水を下の棚又はタンクに流下させるための水流下部とを備えたものであることを特徴とする。
【０００９】
ここで、「水」とは、植栽ポットに植えられる植物の培養に必要な液体を意味するものであり、純粋な水には限られない。
【００１０】
このようなものであれば、オフィス等にこのパーティションを配置することによって、ストレス解消や癒し等の要求に応えることが可能となる。
【００１１】
好適な一態様としては、前記パーティション本体が、左右対をなす側フレームを備えたものであり、前記各棚が、それら側フレーム間に架設されたものであるものが挙げられる。
【００１２】
前記各棚が、上方に開放された流路を形成する樋状のものである場合には、その水流下部が、前記流路の底に該流路内の水を雨状に滴下させるための孔を穿設したものであることが好ましい。
【００１３】
前記各孔は、前記流路に臨む上端に座繰り部を有したものであることが好ましい。
【００１４】
前記タンクが最下段の棚の下に配されるとともに前記棚及びタンクは、前記パーティション本体の厚み内に収まる寸法のものであることが好ましい。
【発明の効果】
【００１５】
本発明は、以上のような構成であるから、ストレス解消や癒し等の要求に応えることのできるパーティションを提供することができる。
【図面の簡単な説明】
【００１６】
【図１】本発明の一実施形態を示すパーティションの背面側から見た概略図。
【図２】同実施形態のパーティションを示す正面側から見た斜視図。
【図３】同実施形態のパーティションを示す正面図。
【図４】同実施形態のパーティションを示す平面図。
【図５】同実施形態のパーティションを示す底面図。
【図６】同実施形態のパーティションを示す側面図。
【図７】同実施形態のパーティションの一部を省略して示す分解斜視図。
【図８】同実施形態のパーティションの一部を拡大して示す拡大斜視図。
【図９】同実施形態のパーティションを示す中央正断面図。
【図１０】図９の一部を拡大して示す中央正断面図。
【図１１】同実施形態のパーティションを示す中央平断面図。
【図１２】図３のＸ−Ｘ線に沿った側断面図。
【図１３】同実施形態のパーティションに用いられる植栽ポットを分解して示す説明図。
【図１４】同実施形態のパーティションの一使用方法を説明する概略図。
【図１５】本発明の他の実施形態を示すパーティションの図１に対応する概略図。
【発明を実施するための形態】
【００１７】
以下、本発明の一実施形態について図１ないし図１４を参照して説明する。
【００１８】
このパーティション１は、図１ないし図１２に示すように、例えばオフィスや店舗等で空間を仕切るために使用されるものであり、起立状態で配置されるパーティション本体２と、このパーティション本体２に支持されて上下に間隔をあけて配置され各々が水の流路３１を有する複数の棚３と、最下段の棚３の下に配されたタンク５と、このタンク５内の水を最上段の棚３上に揚水する揚水装置６とを具備してなる。
【００１９】
パーティション本体２は、図１ないし図１２に示すように、このパーティション本体２を自立可能に保持する左右の脚７と、この脚７の上に設けられる枠状をなすフレーム８と、このフレーム８の外部に取り付けられるカバー９とを備えている。
【００２０】
各脚７は、図１ないし図７、図９、図１１及び図１２に示すように、パーティション本体２の厚み方向に伸びるベース７１と、このベース７１の下に取り付けられる接地体７２とを備えている。
【００２１】
フレーム８は、図１、図７ないし図９、図１１及び図１２に示すように、前記ベース７１に取り付けられる下フレーム８１と、この下フレーム８１の左右両端側に取り付けられる左右対をなす側フレーム８２と、これら左右側フレーム８２の上端部に取り付けられる上フレーム８３と、前記側フレーム８２と下フレーム８１とを接続する対をなす下コーナー部材８５と、前記側フレーム８２と上フレーム８３とを接続する対をなす上コーナー部材８４とを備えている。これら、下フレーム８１、各側フレーム８２及び上フレーム８３はアルミニウム等の金属製のもので、それぞれ一体成形されている。また、上コーナー部材８４及び下コーナー部材８５は板金素材によりそれぞれ一体成型されている。
【００２２】
下フレーム８１は、左右方向に伸び、上向きに開口する側断面視コ字状をなすものである。すなわち下フレーム８１は、底板８１１と、この底板８１１の前後両端部からほぼ直角に立ち上がる起立板８１２とから構成されている。この下フレーム８１における底板８１１の左右両端部下面側には、前記脚７のベース７１が取付具Ｂ１を介して取り付けられている。各側フレーム８２は、上下方向に伸び、それぞれ内向きに開口する横断面視コ字状をなすものである。すなわち各側フレーム８２は、側板８２１と、この側板８２１の前後両端部からほぼ直角に伸びる起立板８２２とから構成されている。一方の側フレーム８２の側板８２１には、下端部に揚水装置６の電力用の配線６４を挿通させるための開口８２３が設けられている。上フレーム８３は、左右方向に伸び、下向きに開口する側断面視コ字状をなすものである。すなわち上フレーム８３は、天板８３１と、この天板８３１の前後両端部からほぼ直角に垂下する垂下板８３２とから構成されている。
【００２３】
各上コーナー部材８４は、正面視Ｌ字形状をなすもので、前記上フレーム８３の端部にビスを介して取り付けられる上取付面８４１と、前記側フレーム８２の側板８２１にビスを介して取り付けられる側取付面８４２とを備えている。各下コーナー部材８５は、正面視Ｌ字形状をなすもので、前記下フレーム８１の端部にビスを介して取り付けられる下取付面８５１と、前記側フレーム８２の側板８２１にビスを介して取り付けられる側取付面８５２とを備えている。
【００２４】
カバー９は、図１ないし図６、図８、図９、図１１及び図１２に示すように、前記上フレーム８３の上側から取り付けられる上カバー９１と、前記各側フレーム８２の左右外側から取り付けられる側カバー９２と、前記下フレーム８１の下側から取り付けられる下カバー９３とを備えている。これら上カバー９１、側カバー９２及び下カバー９３は、合成樹脂製のもので、それぞれ一体成形されている。一方の側カバー９２には、下端部に揚水装置６の電力用の配線６４を挿通させるための開口９４が、前記側フレーム８２の開口８２３に連通するように設けられている。なお、図７では、上カバー９１、側カバー９２及び下カバー９３を省略して示している。
【００２５】
以上のようにしてなるパーティション本体２の側フレーム８２間に、複数の棚３、本実施形態では、８つの棚３を上下方向に並べて架設している。
【００２６】
各棚３は、図１ないし図３及び図７ないし図１２に示すように、前記流路３１内の水に触れ得るようにして植栽ポットＰを設置するためのポット載置部３２と、前記流路３１内の水を下の棚３又はタンク５に流下させるための水流下部３３とを備えたものである。本実施形態の各棚３は、前記ポット載置部３２と水流下部３３とを複数ずつ交互に備えている。換言すれば、各棚３は、ポット載置部３２を左右方向に間隔をあけて複数箇所備えているとともに、水流下部３３を左右方向に間隔をあけて複数箇所備えている。そして、本実施形態では、上下に隣接する２つの棚３のポット載置部３２及び水流下部３３の形成箇所を相互に異ならせるとともに、１つおきに隣接する２つの棚３のポット載置部３２及び水流下部３３の形成箇所を同一のものとしている。以下、各棚３の構造について詳述する。
【００２７】
各棚３は、図１ないし図３及び図７ないし図１２に示すように、前記側フレーム８２間に左右方向に伸びる棚本体３４と、この棚本体３４の左右両端に設けられる対をなす端板３６とを備えている。本実施形態においては、棚本体３４と端板３６とは、合成樹脂により一体に成形されたものであり、棚本体３４と端板３６との間が水密に接続されている。
【００２８】
棚本体３４は、上方に開放された流路３１を形成する樋状のものであり、側断面視ほぼＶ字状をなしている。詳述すれば、この棚本体３４は、底壁３４１と、この底壁３４１から一定の角度で傾斜して立ち上がる対をなす立壁３４２と、各立壁３４２の上端に設けられた鍔部３４３とを備えている。前記底壁３４１、立壁３４２及び鍔部３４３は、例えばアクリル樹脂等の合成樹脂製の一体成形品であり、底壁３４１と立壁３４２との間、立壁３４２と鍔部３４３との間がそれぞれ水密に接続されている。
【００２９】
底壁３４１は、前記パーティション本体２の上フレーム８３及び下フレーム８１に平行に配されたものである。前記水流下部３３に該当する部分の底壁３４１には、上面側から下面側に貫通する孔３４５が形成されている。換言すれば、水流下部３３は、前記流路３１の底に該流路３１内の水を雨状に滴下させるための複数の孔３４５を穿設したものである。各孔３４５は、前記底壁３４１に左右方向に一定の間隔をあけて配されたものであり、前記流路３１に臨む上端に座繰り部３４６を有している。詳述すれば、各孔３４５は、本実施形態においては、直径１．０ｍｍないし１．５ｍｍ、好ましくは直径１．２ｍｍにしており、これに対して座繰り部３４６の上端の直径を３．０ｍｍとしている。また、上側の棚３の水流下部３３の直下に位置する底壁３４１には、その上面に水はね防止用のメッシュ材３４４を配している。なお、図２、図８、図１０及び図１１では、メッシュ材３４４をパターンによって網掛けして示している。各立壁３４２は、前記底壁３４１の前後端縁からそれぞれ延伸されたものであり、底壁３４１と協働して本発明の流路３１を形成している。各鍔部３４３は、前記パーティション本体２の上フレーム８３及び下フレーム８１に平行に配されたものである。各鍔部３４３には、左右方向に間隔をあけて複数箇所、本実施形態においては１２箇所に後述する仕切り板３５を取り付けるための取付孔３４７を備えている。
【００３０】
このような棚本体３４は、板状をなす複数枚の仕切り板３５によって前記ポット載置部３２と水流下部３３とが区画されている。
【００３１】
各仕切り板３５は、例えばアクリル樹脂等の合成樹脂製のもので、上部に設けられ前記棚本体３４の下面に沿った形状をなす切り欠き部３５１と、上端角部分に設けられた前後対をなす上取付部３５２と、下端角部分に設けられた前後対をなす下取付部３５３とを備えている。前記各上取付部３５２及び各下取付部３５３は、前記棚本体３４の鍔部３４３に設けられた取付孔３４７に嵌り込む形状をなしている。すなわち、棚本体３４に仕切り板３５を取付けた状態では、棚本体３４の上方は仕切り板３５により区画されるが、前記流路３１は棚本体３４の長手方向に沿って連続している。このような仕切り板３５に対して平行になるようにして、棚３に端板３６が設けられている。
【００３２】
各端板３６は、それぞれ側面視矩形状をなす板状のものであり、前記棚本体３４の端部に該棚本体３４に対して垂直に設けられている。各端板３６は、前記側フレーム８２の前後の起立板８２２にそれぞれビスＢ２を用いて取り付けられている。すなわち、各端板３６は、前記側フレーム８２の側板８２１及び起立板８２２とによって形成される内向きの開口を塞ぐように添設され、前記側フレーム８２との間に揚水装置６の後述する揚水チューブ６２を配するための空間Ａを形成するものである。
【００３３】
このようにしてなる８段の棚３のうち、最上段の棚３の上側かつ前記上フレーム８３の下側の空間には、上端部材４が設けられている。
【００３４】
上端部材４は、図１ないし図３、図７、図９及び図１２に示すように、前記上フレーム８３の下端部に設けられる天板４１と、この天板４１の左右両端縁から垂下する左右の垂下板４２と、前記天板４１の中央部分から下方に垂下して伸びる上仕切り板４３とを備えている。これら天板４１、垂下板４２及び上仕切り板４３は、合成樹脂によって一体に成形されたものである。天板４１は、前記上フレーム８３の天板８３１及び垂下板８３２とによって形成される下向きの開口を塞ぐように添設されるものである。各垂下板４２は、前記側フレーム８２の前後の起立板８２２にそれぞれビスＢ３を用いて取り付けられている。すなわち、各垂下板４２は、前記側フレーム８２の側板８２１及び起立板８２２とによって形成される内向きの開口を塞ぐように添設され、前記側フレーム８２との間に揚水装置６の後述する揚水チューブ６２を配するための空間Ａを形成するものである。各垂下板４２の下端部には、揚水装置６の揚水チューブ６２を挿通させるための切り欠き状の開口４４が形成されている。
【００３５】
一方、前述した８段の棚３のうち、最下段の棚３の下側かつ前記下フレーム８１の上側の空間には、タンク５が設けられている。なお、最下段の棚３と前記タンク５との間には、前記各仕切り板３５とほぼ同一形状をなす複数の下仕切り板３７が設けられており、各下仕切り板３７は、上端部が前記最下段の棚３の取付孔３４７に取り付けられているとともに、下端部がタンク６の前後壁５１４、５１５、５２４、５２５に設けた取付孔５５に取り付けられている。
【００３６】
タンク５は、図１ないし図３、図７、図９及び図１２に示すように、上方に開口した箱形のもので、内部に水を貯留するための貯留空間５３を有したタンク本体５１と、このタンク本体５１に隣接させて設けられる収納部５２とを備えている。
【００３７】
タンク本体５１は、前記下フレーム８１の底板８１１及び起立板８１２とによって形成される上向きの開口を塞ぐように添設される底壁５１１と、この底壁５１１の左右両端から立ち上がる左右の側壁５１２、５１３と、前記底壁５１１の前後両端から立ち上がる前後壁５１４、５１５とを主体に形成されたものであり、前後壁５１４、５１５間の複数箇所にタンク本体５１の変形を防止するための補強板５４を配している。本実施形態においては、底壁５１１、側壁５１２、５１３、及び前後壁５１４、５１５は、合成樹脂製によって一体に成形されたものであり、これらは相互に水密に接続されている。一方の側壁５１２は、前記側フレーム８２の前後の起立板８２２にそれぞれビスＢ４を用いて取り付けられている。すなわち、前記側壁５１２は、前記側フレーム８２の側板８２１及び起立板８２２とによって形成される内向きの開口を塞ぐように添設され、前記側フレーム８２との間に揚水装置６の後述する揚水チューブ６２を配するための空間Ａを形成するものである。前記側壁５１２の上端部には、揚水装置６の揚水チューブ６２を挿通させるための切り欠き状の開口５１６が形成されている。他方の側壁５１３は、タンク本体５１の貯留空間５３と収納部５２とを仕切るためのもので、上端部に揚水装置６の電力用の配線６４を挿通させるための開口５１７が設けられている。
【００３８】
収納部５２は、前記下フレーム８１の底板８１１及び起立板８１２とによって形成される上向きの開口を塞ぐように添設される底壁５２１と、この底壁５２１の左右両端から立ち上がる左右の側壁５２３、５２２と、前記底壁５２１の前後両端から立ち上がる前後壁５２４、５２５とを主体に形成されたものである。底壁５２１は、前記タンク本体５１の底壁５１１に連続して一体に設けられるものであり、前記タンク本体５１の底壁５１１と同様の構成をなしている。一方の側壁５２２は、前記側フレーム８２の前後の起立板８２２にそれぞれ図示しないビスを用いて取り付けられており、下端部に揚水装置６の電力用の配線６４を挿通させるための開口５２６が設けられている。他方の側壁５２３は、前記タンク本体５１の他方の側壁５１３と一体に設けられるものであり、前記タンク本体５１の他方の側壁５１３と同一の構成をなしている。前後壁５２４、５２５は、前記タンク本体５１の前後壁５１４、５１５にそれぞれ連続して一体に設けられるものである。この収納部５２は、例えば揚水装置６のＡＣアダプタ６３やその他の配線６４等を収納することができる大きさを有している。
【００３９】
以上説明したタンク５の貯留空間５３内に貯留された水は、揚水装置６によって棚３の流路３１上に供給される。
【００４０】
揚水装置６は、図９及び図１２に示すように、前記タンク５内の水を汲み上げる水中ポンプ６１と、この液体ポンプにより吸引された水を一番上の棚３の上方に設けられた給液口６５まで運ぶ揚水チューブ６２とを主体に構成される。水中ポンプ６１は、水中据付型の自吸式ポンプであり、前記タンク５に貯留された水を棚３の流路３１に供給する通常のものであるため説明を省略する。前記揚水チューブ６２は、例えば合成樹脂製のパイプであり、一端側が水中ポンプ６１の吐出口に接続され、前記タンク本体５１の一方の側壁５１２に設けられた開口５１６、前記側フレーム８２と棚３の端板３６との間に形成される空間Ａ及び前記上端部材４の垂下板４２に設けられた開口４４を挿通して他端側が一番上の棚３の上方に配されるものである。
【００４１】
このような構成のものであれば、前記水中ポンプ６１を作動させることにより、タンク５内の水は順次揚水装置６により吸い上げられ、前記揚水チューブ６２を通って給液口６５から一番上の棚３の流路３１に供給される。そして、流路３１に沿って流れる水は、棚３のポット載置部３２に配された植栽ポットＰに水を供給することができる。そして、一番上の棚３の流路３１上で余剰となった水は、前記水流下部３３から下方に流れ落ちて一段下の棚３の流路３１上に供給される。このように一段上の棚３から供給される水は、ポット載置部３２に配された植栽ポットＰへの供給と、余剰となった分の水流下部３３からの排出とを繰り返していく。そして、各棚３の水流下部３３から下方に流れ落ちて集まった水は、一番下の棚３の流路３１上に供給された後、この一番下の棚３の水流下部３３からタンク５に戻されることによって循環することになる。そのため、ポット載置部３２に植栽ポットＰを配置しておくことにより、水耕栽培方式による植物への水やりが可能となる。
【００４２】
本実施形態では、植栽ポットＰとして、図１３に示すように、植物を保持する培地Ｐ１と、この培地Ｐ１を保持する培地保持体Ｐ２とを備えたものを用いており、この培地保持体Ｐ２が流路３１上を流れる水に触れ得るようにポット載置部３２に配されている。なお、パーティション１に配置された植栽ポットＰは、図１３及び図１４に示すような水漏れ防止用のトレイＰ３を用いてパーティション１以外の場所、例えば、パーティション１が配された空間にある机Ｔ等の天板付家具に置き換えることもできる。
【００４３】
以上に述べたように、本実施形態に係るパーティション１は、起立状態で配置されるパーティション本体２と、このパーティション本体２に支持されて上下に間隔をあけて配置され各々が水の流路３１を有する複数の棚３と、最下段の棚３の下に配されたタンク５と、このタンク５内の水を最上段の棚３上に揚水する揚水装置６とを具備してなるので、このパーティション１が置かれた空間Ａの雰囲気を多様に演出することができる。すなわち、揚水装置６を稼動させて棚３の流路３１に水を流すことで、このパーティション１の近くに居る人に視覚的及び聴覚的な効果を与えることができ、ストレス解消や癒しを与えることができる。特に、主としてパーティション１として機能するものであるので、パーティション１で区切られた前後の空間Ａの両側からこの効果を得ることができる。また、本実施形態の棚本体３４と仕切り板３５は、透明性を有するアクリル樹脂によって作られているので、水の流れを視覚的に認識することができる。なお、上仕切り板４３と下仕切り板３７も透明性を有するアクリル樹脂製とするとパーティション１の美観が向上する。
【００４４】
また、各棚３は、前記流路３１内の水に触れ得るようにして植栽ポットＰを設置するためのポット載置部３２と、前記流路３１内の水を下の棚３又はタンク５に流下させるための水流下部３３とを備えたものであるので、ポット載置部３２に植物を植えた植栽ポットＰを配置することができ、このパーティション１の近くに居る人に視覚的な効果を与えることができるとともに、水流下部３３から下の棚３に向かってスクリーン状に水を滴下することができ、視覚的及び聴覚的な効果を与えることができる。換言すれば、レール状をなす棚３に細かい孔３４５が多数穿設されているので雨のような水滴が流れ落ち、これらの水滴によって下の棚３上に水が溜まることとなる。そして、水滴が落ちない部分に植物を置くことができる。このように、パーティション１内を流れる水は、植物を栽培するために用いられるとともに、水そのものの有する視覚的及び聴覚的な効果を発揮するために用いられる。そして、この水は、冷暖房器具の使用により乾燥状態になりやすいオフィスで用いられる場合には、加湿・保湿の役割も担うこととなる。
【００４５】
また、各棚３には、複数の仕切り板３５を設けているので、上下に隣接する２つの棚３を補強することができる。また、仕切り板３５は、ポット載置部３２と水流下部３３とを区切っており、より具体的には、棚３の鍔部３４３の上方空間を左右に区切っているので、流路３１を連続させつつもポット載置部３２に水が滴下されないように植栽ポットＰを保護している。
【００４６】
特に、本実施形態のものは、水が貯留されたタンク５がパーティション本体２の下部に配されているので、上下方向のバランスを保ちやすくなっている。また、パーティション１上の棚３から順次水が下の棚３に供給されるものであるので、棚３上で余剰となった水は、別途配管を設けて案内することなく前記水流下部３３の孔３４５を通してタンク５内に落下させることができる。
【００４７】
パーティション本体２が、左右対をなす側フレーム８２を備えたものであり、前記各棚３が、それら側フレーム８２間に架設されたものであるので、各棚３をフレーム８によりしっかりと支持することができる。
【００４８】
各棚３が、上方に開放された流路３１を形成する側断面視Ｖ字形をなす樋状のものであり、その水流下部３３が、前記流路３１の底に該流路３１内の水を雨状に滴下させるための孔３４５を穿設したものであるので、流路３１に流入された水は各棚３の底壁３４１側に溜まりやすく、また、水流下部３３において溜まった水が孔３４５によって下側の棚３に排出されやすい構造となっている。
【００４９】
各孔３４５は、前記流路３１に臨む上端に座繰り部３４６を有したものであるので、座繰り部３４６を有していないものに比べて棚本体３４の底壁３４１に溜まった水滴が落ちやすくすることができる。これは、座繰り部３４６がないと水の表面張力で水滴が落ちにくくなってしまうことによるものである。
【００５０】
また、棚３及びタンク５が、前記パーティション本体２の厚み内に収まる寸法のものであるので、このパーティション１の設置場所の選択の幅が広げられる。なお、本実施形態に示すパーティション１は、幅寸法を９００ｍｍ、高さ寸法を１５００ｍｍ、パーティション本体２の厚み寸法を１００ｍｍとしている。
【００５１】
揚水チューブ６２が、前記側フレーム８２と端板３６との間に形成される空間内に配されているので、外部から隠蔽され、家具としての外観を向上させることができる。
【００５２】
なお、本発明は以上に述べた実施形態に限られない。
【００５３】
本発明のパーティションは、例えば図１５に示すようなものであってもよい。ここで、図１５に示すパーティションの各構成要素は、前記第一実施形態のものと同一のものであるため、同一又は対応する部分には同一の符号を付して説明を省略する。このパーティションは、実施形態に示すものよりも棚３の数を増やしたものである。また、タンクの下端部及びフレームの下端部を丸みを帯びた湾曲形状としている。
【００５４】
また、流路は、棚本体の底壁及び立壁によって形成されたものには限られない。例えば、立壁が底壁から垂直、または略垂直に立ち上がるものや、底壁と立壁との境界がなく全体として半円形状や断面視Ｕ字状をなすものであってもよい。
【００５５】
パーティションは、その高さ寸法や幅寸法は本実施形態のものに限られず、種々変更可能である。すなわち、上端が天井まで達するようなものであってもよい。また、パーティションは、室内空間を仕切るものに限らず、壁に沿って配されるものであってもよい。さらに、このパーティションは、下端部にキャスタ等の移動させるための手段が取り付けられたものであってもよい。
【００５６】
また、ポット載置部と水流下部とは、棚の同一箇所に重なって設けられるものであってもかまわない。すなわち、孔を形成した部分に植栽ポットを載置してもよい。
【００５７】
タンクには、貯留空間及び収納部を閉止するための蓋を設けてもよい。この蓋としては、例えば、本実施形態のタンクの補強板または前後壁の上に配置される板状のもの等が考えられる。なお、タンク本体のうち最下段の棚の水流下部の直下部分には蓋は設けられることなく、最下段の棚からタンクの貯留空間内に水が滴下し得るように上方に開口した状態としている。
【００５８】
その他、本発明の趣旨を損ねない範囲で種々に変更してよい。
【符号の説明】
【００５９】
１…パーティション
２…パーティション本体
３…棚
３１…流路
３２…ポット載置部
３３…水流下部
３４５…孔
３４６…座繰り部
５…タンク
６…揚水装置
８２…側フレーム
Ｐ…植栽ポット
【図１】
2012102575.tif 000003
【図２】
2012102575.tif 000004
【図３】
2012102575.tif 000005
【図４】
2012102575.tif 000006
【図５】
2012102575.tif 000007
【図６】
2012102575.tif 000008
【図７】
2012102575.tif 000009
【図８】
2012102575.tif 000010
【図９】
2012102575.tif 000011
【図１０】
2012102575.tif 000012
【図１１】
2012102575.tif 000013
【図１２】
2012102575.tif 000014
【図１３】
2012102575.tif 000015
【図１４】
2012102575.tif 000016
【図１５】
2012102575.tif 000017